(57)【特許請求の範囲】
【請求項１】
ＩＣカードを備える携帯端末と通信ネットワークを介して接続され、前記携帯端末が備えているＩＣカードを利用するＩＣカードサービスをユーザに提供するためのＩＣカード用アプリケーションを前記携帯端末に送信するインストール装置であって、
前記ＩＣカード用アプリケーションを記憶するアプリケーション記憶手段と、
ＩＣカードにアクセスしてＩＣカードからの情報の読み取り及びＩＣカードへの情報の書き込みを行うＩＣカードアクセス手段と、
前記携帯端末のユーザの前記ＩＣカードサービスの提供を受ける会員としての識別情報である会員ＩＤを取得する会員ＩＤ取得手段と、
前記インストール装置が備える前記ＩＣカードアクセス手段を介して、前記携帯端末が備えているＩＣカード内に、前記ＩＣカードサービスの提供に必要なサービス領域を設定するサービス領域設定手段と、
前記インストール装置が備える前記ＩＣカードアクセス手段を介して、前記サービス領域設定手段によって設定された前記ＩＣカード内のサービス領域に、前記会員ＩＤ取得手段によって取得された会員ＩＤを書き込む会員ＩＤ書き込み手段と、
前記会員ＩＤ書き込み手段によってサービス領域に会員ＩＤが書き込まれるＩＣカードを備える携帯端末に、前記アプリケーション記憶手段に記憶されているＩＣカード用アプリケーションを、前記通信ネットワークを介して送信するアプリケーション送信手段と、
を備えることを特徴とする携帯端末へのＩＣカード用アプリケーションのインストール装置。
【請求項２】
前記ＩＣカードアクセス手段は、前記携帯端末が備えているＩＣカードが通信可能な距離の範囲内に存在する場合に、該ＩＣカードからの情報の読み取り及びＩＣカードへの情報の書き込みを行う、
ことを特徴とする請求項１に記載の携帯端末へのＩＣカード用アプリケーションのインストール装置。
【請求項３】
前記会員ＩＤ取得手段は、
前記携帯端末のユーザの会員ＩＤが記録されている会員用ＩＣカードから、前記ＩＣカードアクセス手段を介して、会員ＩＤを読み取ることにより、該ユーザの会員ＩＤを取得する会員ＩＤ読み取り手段を含む、
ことを特徴とする請求項１又は２に記載の携帯端末へのＩＣカード用アプリケーションのインストール装置。
【請求項４】
前記会員ＩＤ取得手段は、
前記携帯端末のユーザの本人確認用情報が記録されている本人確認用ＩＣカードから、前記ＩＣカードアクセス手段を介して、本人確認用情報を読み取る本人確認用情報読み取り手段と、
前記本人確認用情報読み取り手段によって読み取られた本人確認用情報に関連付けて、前記携帯端末のユーザに前記ＩＣカードサービスの会員ＩＤを付与することにより、該ユーザの会員ＩＤを取得する会員ＩＤ付与手段と、を含む、
ことを特徴とする請求項１又は２に記載の携帯端末へのＩＣカード用アプリケーションのインストール装置。
【請求項５】
ＩＣカードを備える携帯端末と通信ネットワークを介して接続され、前記携帯端末に送信されるアプリケーションであって前記携帯端末が備えているＩＣカードを利用するＩＣカードサービスをユーザに提供するためのＩＣカード用アプリケーションを記憶するアプリケーション記憶部と、ＩＣカードにアクセスしてＩＣカードからの情報の読み取り及びＩＣカードへの情報の書き込みを行うＩＣカードアクセス部と、を備える装置により実行される携帯端末へのＩＣカード用アプリケーションのインストール方法であって、
前記携帯端末のユーザの前記ＩＣカードサービスの提供を受ける会員としての識別情報である会員ＩＤを取得する会員ＩＤ取得ステップと、
前記装置が備える前記ＩＣカードアクセス部を介して、前記携帯端末が備えているＩＣカード内に、前記ＩＣカードサービスの提供に必要なサービス領域を設定するサービス領域設定ステップと、
前記装置が備える前記ＩＣカードアクセス部を介して、前記サービス領域設定ステップによって設定された前記ＩＣカード内のサービス領域に、前記会員ＩＤ取得ステップによって取得された会員ＩＤを書き込む会員ＩＤ書き込みステップと、
前記会員ＩＤ書き込みステップによってサービス領域に会員ＩＤが書き込まれるＩＣカードを備える携帯端末に、前記アプリケーション記憶部に記憶されているＩＣカード用アプリケーションを、前記通信ネットワークを介して送信するアプリケーション送信ステップと、
を備えることを特徴とする携帯端末へのＩＣカード用アプリケーションのインストール方法。
【請求項６】
ＩＣカードを備える携帯端末と通信ネットワークを介して接続され、前記携帯端末に送信されるアプリケーションであって前記携帯端末が備えているＩＣカードを利用するＩＣカードサービスをユーザに提供するためのＩＣカード用アプリケーションを記憶するアプリケーション記憶部と、ＩＣカードにアクセスしてＩＣカードからの情報の読み取り及びＩＣカードへの情報の書き込みを行うＩＣカードアクセス部と、を備える装置を制御するコンピュータを、
前記携帯端末のユーザの前記ＩＣカードサービスの提供を受ける会員としての識別情報である会員ＩＤを取得する会員ＩＤ取得手段、
前記装置が備える前記ＩＣカードアクセス部を介して、前記携帯端末が備えているＩＣカード内に、前記ＩＣカードサービスの提供に必要なサービス領域を設定するサービス領域設定手段、
前記装置が備える前記ＩＣカードアクセス部を介して、前記サービス領域設定手段によって設定された前記ＩＣカード内のサービス領域に、前記会員ＩＤ取得手段によって取得された会員ＩＤを書き込む会員ＩＤ書き込み手段、
前記会員ＩＤ書き込み手段によってサービス領域に会員ＩＤが書き込まれるＩＣカードを備える携帯端末に、前記アプリケーション記憶部に記憶されているＩＣカード用アプリケーションを、前記通信ネットワークを介して送信するアプリケーション送信手段、
として機能させるためのプログラム。
【発明の詳細な説明】
【技術分野】
【０００１】
本発明は、携帯端末へのＩＣカード用アプリケーションのインストール装置等に関する。
【背景技術】
【０００２】
近年、ＩＣ(Integrated Circuit)カードを利用して提供されるサービスを、ＩＣカードを搭載している携帯端末を用いて受けることができるようにしたシステムがある。
【０００３】
そのようなサービスの利用者は、一般的には、まず、利用者の携帯端末に搭載されているＩＣカードでサービスを受けられるようにするための専用のアプリケーションを、携帯端末にダウンロードする。そして、ダウンロードしたアプリケーションを起動して携帯端末を操作し、サービスを受けることができる会員となるために必要な会員情報等の入力、ＩＣカード内へのサービス領域の作成等を行い、ＩＣカードを搭載している携帯端末を用いてサービスを受けることができるようにする。
【０００４】
会員情報の入力は、例えば、携帯端末に付属のキーボードを利用して行われる。
また、会員情報の入力の際に、サービスの利用者が既に会員登録済みであり、会員に発行されるＩＣカードを別途所有しているような場合には、そのＩＣカードを利用して、会員情報を引き継ぐことも考えられる。
【０００５】
例えば、特許文献１には、会員情報データベースにおいて会員の個人情報と関係付けて登録されているカードＩＤ(IDentification)情報に対して、更に携帯電話機に記憶されている端末ＩＤ情報も関係付けて登録させることにより、携帯電話機に会員の情報を引き継ぐことが記載されている。
【０００６】
また、例えば、特許文献２には、ＱＲコード（登録商標）にコード化されたメールアドレスを携帯電話機の撮像機能を利用して取得し、そのメールアドレスに複数のカードＩＤを紐付けてデータベースに登録することにより、携帯電話機を用いて会員の情報を引き継ぐことが記載されている。
【０００７】
ＩＣカード内へのサービス領域の作成は、例えば、会員情報の入力後に、無線通信を利用して行われる。
【先行技術文献】
【特許文献】
【０００８】
【特許文献１】特開２００７−８０００６号公報
【特許文献２】特開２００９−４８２９７号公報
【発明の概要】
【発明が解決しようとする課題】
【０００９】
ところで、会員情報の入力に、携帯端末に付属のキーボードが利用される場合には、そのようなキーボードは概してキーが小さいため、利用者が打ち間違いをする恐れがある。また、入力項目が多い場合には、利用者が入力の操作を面倒に感じることも多い。
【００１０】
また、特許文献１及び特許文献２に記載されている技術を用いて会員情報を引き継いだとしても、それらの技術では、何れも、引き継がれる情報はデータベース等の外部の記録媒体に登録される。その結果、携帯端末に搭載されているＩＣカードに会員情報を引き継がせる際には、外部に保存されている会員情報を携帯端末に読み込ませる等の利用者による作業が必要となり、その作業は利用者にとって煩わしいものとなっている。
【００１１】
無線通信を利用してＩＣカード内にサービス領域を作成する際には、作成処理の途中で通信が途切れる場合を想定する必要がある。そのため、無線通信における様々なリカバリー処理を想定して、サービス領域の作成処理を設計しなければならず、アプリケーション側の製造規模が増大する要因となっている。
【００１２】
本発明は、上記実状に鑑みてなされたものであり、携帯端末が備えているＩＣカードを利用するサービスのユーザへの提供をより簡単な操作で開始させることができる携帯端末へのＩＣカード用アプリケーションのインストール装置等を提供することを目的とする。
【課題を解決するための手段】
【００１３】
上記目的を達成するため、本発明の第１の観点に係る携帯端末へのＩＣカード用アプリケーションのインストール装置は、
ＩＣカードを備える携帯端末と通信ネットワークを介して接続され、前記携帯端末が備えているＩＣカードを利用するＩＣカードサービスをユーザに提供するためのＩＣカード用アプリケーションを前記携帯端末に送信するインストール装置であって、
前記ＩＣカード用アプリケーションを記憶するアプリケーション記憶手段と、
ＩＣカードにアクセスしてＩＣカードからの情報の読み取り及びＩＣカードへの情報の書き込みを行うＩＣカードアクセス手段と、
前記携帯端末のユーザの前記ＩＣカードサービスの提供を受ける会員としての識別情報である会員ＩＤを取得する会員ＩＤ取得手段と、
前記インストール装置が備える前記ＩＣカードアクセス手段を介して、前記携帯端末が備えているＩＣカード内に、前記ＩＣカードサービスの提供に必要なサービス領域を設定するサービス領域設定手段と、
前記インストール装置が備える前記ＩＣカードアクセス手段を介して、前記サービス領域設定手段によって設定された前記ＩＣカード内のサービス領域に、前記会員ＩＤ取得手段によって取得された会員ＩＤを書き込む会員ＩＤ書き込み手段と、
前記会員ＩＤ書き込み手段によってサービス領域に会員ＩＤが書き込まれるＩＣカードを備える携帯端末に、前記アプリケーション記憶手段に記憶されているＩＣカード用アプリケーションを、前記通信ネットワークを介して送信するアプリケーション送信手段と、
を備えることを特徴とする。
前記インストール装置において、
前記ＩＣカードアクセス手段は、前記携帯端末が備えているＩＣカードが通信可能な距離の範囲内に存在する場合に、該ＩＣカードからの情報の読み取り及びＩＣカードへの情報の書き込みを行う、
ようにしても良い。
【００１４】
前記インストール装置において、
前記会員ＩＤ取得手段は、
前記携帯端末のユーザの会員ＩＤが記録されている会員用ＩＣカードから、前記ＩＣカードアクセス手段を介して、会員ＩＤを読み取ることにより、該ユーザの会員ＩＤを取得する会員ＩＤ読み取り手段を含む、
ようにしても良い。
【００１５】
前記インストール装置において、
前記会員ＩＤ取得手段は、
前記携帯端末のユーザの本人確認用情報が記録されている本人確認用ＩＣカードから、前記ＩＣカードアクセス手段を介して、本人確認用情報を読み取る本人確認用情報読み取り手段と、
前記本人確認用情報読み取り手段によって読み取られた本人確認用情報に関連付けて、前記携帯端末のユーザに前記ＩＣカードサービスの会員ＩＤを付与することにより、該ユーザの会員ＩＤを取得する会員ＩＤ付与手段と、を含む、
ようにしても良い。
【００１７】
また、本発明の第２の観点に係る携帯端末へのＩＣカード用アプリケーションのインストール方法は、
ＩＣカードを備える携帯端末と通信ネットワークを介して接続され、前記携帯端末に送信されるアプリケーションであって前記携帯端末が備えているＩＣカードを利用するＩＣカードサービスをユーザに提供するためのＩＣカード用アプリケーションを記憶するアプリケーション記憶部と、ＩＣカードにアクセスしてＩＣカードからの情報の読み取り及びＩＣカードへの情報の書き込みを行うＩＣカードアクセス部と、を備える装置により実行される携帯端末へのＩＣカード用アプリケーションのインストール方法であって、
前記携帯端末のユーザの前記ＩＣカードサービスの提供を受ける会員としての識別情報である会員ＩＤを取得する会員ＩＤ取得ステップと、
前記装置が備える前記ＩＣカードアクセス部を介して、前記携帯端末が備えているＩＣカード内に、前記ＩＣカードサービスの提供に必要なサービス領域を設定するサービス領域設定ステップと、
前記装置が備える前記ＩＣカードアクセス部を介して、前記サービス領域設定ステップによって設定された前記ＩＣカード内のサービス領域に、前記会員ＩＤ取得ステップによって取得された会員ＩＤを書き込む会員ＩＤ書き込みステップと、
前記会員ＩＤ書き込みステップによってサービス領域に会員ＩＤが書き込まれるＩＣカードを備える携帯端末に、前記アプリケーション記憶部に記憶されているＩＣカード用アプリケーションを、前記通信ネットワークを介して送信するアプリケーション送信ステップと、
を備えることを特徴とする。
【００１８】
また、本発明の第３の観点に係るプログラムは、
ＩＣカードを備える携帯端末と通信ネットワークを介して接続され、前記携帯端末に送信されるアプリケーションであって前記携帯端末が備えているＩＣカードを利用するＩＣカードサービスをユーザに提供するためのＩＣカード用アプリケーションを記憶するアプリケーション記憶部と、ＩＣカードにアクセスしてＩＣカードからの情報の読み取り及びＩＣカードへの情報の書き込みを行うＩＣカードアクセス部と、を備える装置を制御するコンピュータを、
前記携帯端末のユーザの前記ＩＣカードサービスの提供を受ける会員としての識別情報である会員ＩＤを取得する会員ＩＤ取得手段、
前記装置が備える前記ＩＣカードアクセス部を介して、前記携帯端末が備えているＩＣカード内に、前記ＩＣカードサービスの提供に必要なサービス領域を設定するサービス領域設定手段、
前記装置が備える前記ＩＣカードアクセス部を介して、前記サービス領域設定手段によって設定された前記ＩＣカード内のサービス領域に、前記会員ＩＤ取得手段によって取得された会員ＩＤを書き込む会員ＩＤ書き込み手段、
前記会員ＩＤ書き込み手段によってサービス領域に会員ＩＤが書き込まれるＩＣカードを備える携帯端末に、前記アプリケーション記憶部に記憶されているＩＣカード用アプリケーションを、前記通信ネットワークを介して送信するアプリケーション送信手段、
として機能させるためのものである。
【発明の効果】
【００１９】
本発明によれば、携帯端末が備えているＩＣカードを利用するサービスのユーザへの提供をより簡単な操作で開始させることができる。
【図面の簡単な説明】
【００２０】
【図１】本発明の第１の実施形態に係るインストールシステムの構成例を示すブロック図である。
【図２】モバイル端末のハードウェア構成例を示すブロック図である。
【図３】インストール装置のハードウェア構成例を示すブロック図である。
【図４】本発明の第１の実施形態におけるインストール方法の手順例を示す手順説明図である。
【図５】本発明の第１の実施形態の変形例１に係るインストールシステムの構成例を示すブロック図である。
【図６】本発明の第１の実施形態の変形例２に係るインストールシステムの構成例を示すブロック図である。
【図７】本発明の第２の実施形態に係るインストールシステムの構成例を示すブロック図である。
【図８】本発明の第２の実施形態におけるインストール方法の手順例を示す手順説明図である。
【図９】本発明の第２の実施形態におけるインストール時に記録されるデータの一例を示す図である。
【図１０】本発明の第３の実施形態におけるインストール方法の手順例を示す手順説明図である。
【図１１】本発明の第３の実施形態におけるインストール時に記録されるデータの一例を示す図である。
【図１２】本発明の第３の実施形態におけるバージョンアップ方法の手順例を示す手順説明図である。
【図１３】本発明の第３の実施形態におけるバージョンアップ時に記録されるデータの一例を示す図である。
【図１４】本発明の第４の実施形態における会員情報の変更方法の手順例を示す手順説明図である。
【発明を実施するための形態】
【００２１】
［第１の実施形態］
以下、本発明の実施形態を図面を参照して説明する。
まず、本発明の第１の実施形態として、ＩＣ(Integrated Circuit)カードを備えるモバイル端末と、そのモバイル端末にアプリケーションをインストールさせるインストール装置と、を備えるインストールシステムについて説明する。
【００２２】
図１は、本発明の第１の実施形態に係るインストールシステム１０の構成例を示すブロック図である。
図１に示すように、本発明の第１の実施形態に係るインストールシステム１０は、モバイル端末２０と、インストール装置３０と、を備えており、モバイル端末２０とインストール装置３０とは、通信ネットワーク４０を介して接続される。
【００２３】
モバイル端末２０は、ＩＣカード２１を搭載していると共に、データ通信機能を有している携帯電話機等の携帯端末である。ＩＣカード２１は、ＩＣチップを内蔵している例えば非接触型のカードである。
モバイル端末２０は、更に、通信ネットワーク４０に接続されているサーバ等の装置からデータ通信機能によってアプリケーションをダウンロードするためのアプリケーションダウンロード部２２を備えている。
【００２４】
インストール装置３０は、モバイル端末２０にアプリケーションをインストールさせるための装置である。インストール装置３０には、モバイル端末２０に搭載されているＩＣカード２１を利用するサービス（ＩＣカードサービス）をユーザに提供するためのソフトウェアプログラムであるモバイルアプリケーション（ＩＣカード用アプリケーション）が、保存されている。
インストール装置３０は、ＩＣカードリーダライタ３１を備えると共に、データ通信機能を有する例えばコンピュータである。
【００２５】
ＩＣカードリーダライタ３１は、例えば非接触型のＩＣカードが通信可能な距離の範囲内に存在する場合に、そのＩＣカードに記録されている情報の読み取り及びそのＩＣカードへの情報の書き込みを行う。
インストール装置３０は、このＩＣカードリーダライタ３１を介して、モバイル端末２０に搭載されているＩＣカード２１に対し、例えば、サービスの提供に必要なメモリ領域であるサービス領域の設定（確保）を行うＩＣカード発行処理、情報の書き込みを行うＩＣカード書き込み処理等を行う。
【００２６】
通信ネットワーク４０は、インターネット、ＬＡＮ(Local Area Network)等の通信網である。
モバイル端末２０とインストール装置３０とは、互いのデータ通信機能を用いて、通信ネットワーク４０を介して接続し、インストール装置３０に保存されているモバイルアプリケーションを、インストール装置３０からモバイル端末２０に転送させる。
【００２７】
インストール装置３０は、より具体的には、図１に示すように、ハードウェア及びソフトウェアによって実現される機能的な構成として、アプリケーション記憶部３２、ＩＣカードアクセス部３３、会員ＩＤ取得部３４、サービス領域設定部３５、会員ＩＤ書き込み部３６、及びアプリケーション送信部３７を備える。
【００２８】
アプリケーション記憶部３２は、モバイル端末２０に搭載されているＩＣカード２１を利用するサービスをユーザに提供するためのモバイルアプリケーション３８を記憶する。
【００２９】
ＩＣカードアクセス部３３は、ＩＣカードリーダライタ３１を含み構成され、ＩＣカードにアクセスしてＩＣカードからの情報の読み取り及びＩＣカードへの情報の書き込みを行う。
【００３０】
会員ＩＤ取得部３４は、モバイル端末２０のユーザの会員ＩＤ(IDentification)を取得する。ここで、会員ＩＤは、ＩＣカード２１を利用するサービスの提供を受けることができる者である会員を識別するための識別情報である。
【００３１】
例えば、会員ＩＤ取得部３４は、キーボード等の入力装置を備えており、モバイル端末２０のユーザが入力装置を用いて自分の会員ＩＤを入力した場合に、その入力された会員ＩＤを取得する。
なお、モバイル端末２０へのモバイルアプリケーション３８のインストール時に、ユーザがサービスを受けるための会員ＩＤを有していない場合には、会員ＩＤ取得部３４は、ユーザに付与する会員ＩＤを生成することにより取得しても良い。
【００３２】
サービス領域設定部３５は、ＩＣカードアクセス部３３を介して、ＩＣカード２１内に、ＩＣカード２１を利用するサービスの提供に必要なサービス領域を設定する。
【００３３】
会員ＩＤ書き込み部３６は、ＩＣカードアクセス部３３を介して、サービス領域設定部３５によって設定されたＩＣカード２１内のサービス領域に、会員ＩＤ取得部３４によって取得された会員ＩＤを書き込む。
【００３４】
例えば、モバイル端末２０がインストール装置３０の近傍に置かれ、ＩＣカード２１とＩＣカードリーダライタ３１とが通信可能な位置にある状態で、会員ＩＤ取得部３４がモバイル端末２０のユーザの会員ＩＤを取得すると、サービス領域設定部３５がＩＣカード２１内にサービス領域を設定し、会員ＩＤ書き込み部３６がそのサービス領域に会員ＩＤを書き込む。
【００３５】
アプリケーション送信部３７は、会員ＩＤ書き込み部３６によってサービス領域に会員ＩＤが書き込まれたＩＣカード２１を搭載しているモバイル端末２０に、アプリケーション記憶部３２に記憶されているモバイルアプリケーション３８を、通信ネットワーク４０を介して送信する。
【００３６】
例えば、会員ＩＤ書き込み部３６が、ＩＣカード２１内のサービス領域に会員ＩＤを書き込むと、アプリケーション送信部３７は、会員ＩＤが書き込まれたＩＣカード２１を搭載しているモバイル端末２０に、通信ネットワーク４０を介してアクセスして、モバイルアプリケーション３８を送信する。
【００３７】
モバイル端末２０側では、アプリケーションダウンロード部２２が、インストール装置３０から送信されるモバイルアプリケーション３８を受信する。
そして、アプリケーションダウンロード部２２によって受信されたモバイルアプリケーション３８は、モバイル端末２０にインストールされる。
【００３８】
これにより、モバイル端末２０のユーザは、モバイル端末２０に搭載されているＩＣカード２１を利用するサービスを、モバイル端末２０を用いて受けることができる。
【００３９】
以上説明したように、本実施形態に係るインストールシステム１０においては、まず、ＩＣカードリーダライタ３１を介してＩＣカード２１に、サービス領域が設定され、そのサービス領域にサービスの提供に必要な会員ＩＤの情報が書き込まれる。その上で、モバイル端末２０に、そのサービス領域を操作可能なモバイルアプリケーション３８がダウンロードされる。
【００４０】
即ち、まずアプリケーションをモバイル端末にダウンロードし、モバイル端末上でのアプリケーションの動作に従ってユーザがＩＣカード２１のサービス領域の確保、会員ＩＤの入力等の操作を行うようなシステムと比較して、本実施形態に係るインストールシステム１０においては、インストール装置３０がＩＣカードリーダライタ３１を介してＩＣカード２１へのサービス領域の確保、会員ＩＤの書き込み等を行う。
【００４１】
従って、本実施形態によれば、ユーザはアプリケーションの動作に従ってサービス領域の確保、会員ＩＤの入力等の操作を行う必要がないため、モバイル端末２０が備えているＩＣカード２１を利用するサービスのユーザへの提供を簡単な操作で開始させることができる。
【００４２】
更に、まずアプリケーションをモバイル端末にダウンロードし、モバイル端末上でのアプリケーションの動作に従ってユーザがＩＣカード２１のサービス領域を確保、会員ＩＤの入力等の操作を行うようなシステムと比較して、本実施形態に係るインストールシステム１０によれば、モバイル端末２０のユーザは、モバイル端末２０内のＩＣカード２１を利用するサービスを受ける際に、会員独自のサービスを、モバイルアプリケーション３８のダウンロード後すぐに受けることができる。
【００４３】
具体的には、サービスの提供を行うサービス事業者は、サービスの提供に際し、サービスの提供を受ける者の会員登録を行うのが一般的であり、その場合、例えばサービス事業者が保持するサーバには、会員毎に会員情報と会員ＩＤとが関連付けて登録されている。その上で、本実施形態においては、モバイルアプリケーション３８がモバイル端末２０にダウンロードされる前に、既に、会員ＩＤはモバイル端末２０に付属のＩＣカード２１に記録されている。そのため、本実施形態によれば、モバイルアプリケーション３８のダウンロード前に会員ＩＤと会員情報とが紐付けられており、モバイル端末２０のユーザは、モバイルアプリケーション３８のダウンロード後すぐにサービスを受けることができる。
【００４４】
ここで、モバイル端末２０のハードウェア構成を説明する。
図２は、モバイル端末２０のハードウェア構成例を示すブロック図である。
なお、既に説明した構成と同一の構成には同一の符号を付して、その説明を省略する。
【００４５】
図２に示すように、モバイル端末２０は、ハードウェア構成として、ＩＣカード２１と、通信部１２１と、入力部１２２と、出力部１２３と、記憶部１２４と、制御部１２５と、を備える。
【００４６】
通信部１２１は、アンテナ、通信インタフェース等を備えており、モバイル端末２０に接続される他の装置との音声通信及びデータ通信に用いられる。具体的には、モバイル端末２０は、通信部１２１を用いて、インストール装置３０とデータの送受信を行う。
【００４７】
入力部１２２は、ボタン、マイクロフォン等の入力装置を備える。入力部１２２には、ユーザによる入力操作に応じて様々な情報が入力される。
出力部１２３は、ディスプレイ（モニタ）、スピーカ等の出力装置を備え、様々な情報を出力する。
【００４８】
記憶部１２４は、ハードディスク等の補助記憶装置を備え、様々な情報やプログラム等を記憶する。例えば、記憶部１２４には、インストール装置３０からダウンロードされるモバイルアプリケーション３８が格納される。また、記憶部１２４には、モバイル端末２０がインストール装置３０からモバイルアプリケーション３８をダウンロードする機能を実現するためのプログラム等が格納されている。
【００４９】
制御部１２５は、ＣＰＵ（Central Processing Unit）１２６、ＲＯＭ（Read Only Memory）１２７、ＲＡＭ（Random Access Memory）１２８等から構成され、データの演算処理を行うと共に、モバイル端末２０の全体を制御する。制御部１２５における演算処理及び制御処理は、具体的には、ＣＰＵ１２６が、ＲＡＭ１２８を作業領域として使用して各種データを一時的に記憶させながら、ＲＯＭ１２７に記憶されている制御プログラムを実行することにより行われる。
【００５０】
制御部１２５が、ＲＯＭ１２７や記憶部１２４に記憶されているプログラムに従って、ＩＣカード２１、通信部１２１、入力部１２２、出力部１２３、及び記憶部１２４を制御することにより、モバイル端末２０において、インストール装置３０からモバイルアプリケーション３８をダウンロードする動作等の様々な動作が実行される。
【００５１】
なお、モバイル端末２０の図１に示したアプリケーションダウンロード部２２は、具体的には、制御部１２５の処理により実現される機能的な構成である。
【００５２】
次に、インストール装置３０のハードウェア構成を説明する。
図３は、インストール装置３０のハードウェア構成例を示すブロック図である。
なお、既に説明した構成と同一の構成には同一の符号を付して、その説明を省略する。
【００５３】
図３に示すように、インストール装置３０は、ハードウェア構成として、ＩＣカードリーダライタ３１、通信部１３１と、入力部１３２と、出力部１３３と、記憶部１３４と、制御部１３５と、を備える。
【００５４】
通信部１３１は、通信インタフェース等を備えており、インストール装置３０に接続される他の装置との通信に用いられる。具体的には、インストール装置３０は、通信部１３１を用いて、モバイル端末２０とデータの送受信を行う。
【００５５】
入力部１３２は、キーボード、マウス等の入力装置を備える。入力部１３２には、操作をする者による入力操作に応じて様々な情報が入力される。
出力部１３３は、ディスプレイ（モニタ）等の出力装置を備え、様々な情報を出力する。
【００５６】
記憶部１３４は、ハードディスク等の補助記憶装置を備え、様々な情報やプログラム等を記憶する。例えば、記憶部１３４には、前述のモバイルアプリケーション３８が記憶されている。即ち、図１に示したインストール装置３０のアプリケーション記憶部３２は、記憶部１３４により実現される構成である。また、記憶部１３４には、インストール装置３０がモバイルアプリケーション３８をモバイル端末２０にインストールさせる機能を実現するためのプログラム等が格納されている。
【００５７】
制御部１３５は、ＣＰＵ１３６、ＲＯＭ１３７、ＲＡＭ１３８等から構成され、データの演算処理を行うと共に、インストール装置３０の全体を制御する。制御部１３５における演算処理及び制御処理は、具体的には、ＣＰＵ１３６が、ＲＡＭ１３８を作業領域として使用して各種データを一時的に記憶させながら、ＲＯＭ１３７に記憶されている制御プログラムを実行することにより行われる。
【００５８】
制御部１３５が、ＲＯＭ１３７や記憶部１３４に記憶されているプログラムに従って、ＩＣカードリーダライタ３１、通信部１３１、入力部１３２、出力部１３３、及び記憶部１３４を制御することにより、インストール装置３０において、モバイルアプリケーション３８をモバイル端末２０にインストールさせる動作等の様々な動作が実行される。
【００５９】
なお、インストール装置３０の図１に示したアプリケーション記憶部３２、ＩＣカードアクセス部３３、会員ＩＤ取得部３４、サービス領域設定部３５、会員ＩＤ書き込み部３６、及びアプリケーション送信部３７は、具体的には、制御部１３５の処理により実現される機能的な構成である。
【００６０】
次に、インストールシステム１０を用いてモバイル端末２０へモバイルアプリケーション３８をインストールする方法の手順を説明する。
図４は、本発明の第１の実施形態におけるインストール方法の手順例を示す手順説明図である。
【００６１】
なお、この手順は、インストールシステム１０が備えるモバイル端末２０及びインストール装置３０の各装置において、それぞれの制御部がそれぞれに記憶されているプログラムに従って各装置の全体を制御することにより実行される。
また、ここでは、モバイル端末２０のユーザが既に会員ＩＤを有している場合を例に説明する。
【００６２】
モバイル端末２０を所持しているユーザは、会員登録しているサービスの提供を、モバイル端末２０に搭載されているＩＣカード２１を利用して受けたい場合、例えば、インストール装置３０が設置されている場所に行く。そして、ユーザは、インストール装置３０に備え付けられているＩＣカードリーダライタ３１と、ＩＣカード２１と、が通信可能となる位置に、モバイル端末２０を配置する。
【００６３】
更に、ユーザは、モバイル端末２０とインストール装置３０とをデータ通信可能な状態にする。例えば、モバイル端末２０とインストール装置３０とを、モバイル通信回線、無線ＬＡＮ等を用いて、通信ネットワーク４０を介して接続する。また、Bluetooth（登録商標）、赤外線通信等を用いた無線通信、又はデータ通信ケーブルを用いた有線通信によって、モバイル端末２０とインストール装置３０とを直接接続しても良い。
【００６４】
このようなインストールシステム１０において、まず、インストール装置３０は、モバイル端末２０を所持しているユーザの会員ＩＤを取得する（ステップＳ１１）。インストール装置３０は、例えば、入力部１３２を介して入力されるユーザの会員ＩＤを取得する。
【００６５】
次に、インストール装置３０は、ＩＣカードリーダライタ３１を介して、モバイル端末２０に搭載されているＩＣカード２１に対して、ＩＣカード発行処理を行う（ステップＳ１２）。具体的には、インストール装置３０は、ステップＳ１１で取得した会員ＩＤを必要とするサービス用のサービス領域をＩＣカード２１内に設定する。これにより、ＩＣカード２１内のメモリ領域の中に、ユーザが提供を受けたいサービスのためのサービス領域が確保される。
【００６６】
更に、インストール装置３０は、ＩＣカードリーダライタ３１を介して、ＩＣカード２１に対して、ＩＣカード書き込み処理を行う（ステップＳ１３）。具体的には、インストール装置３０は、例えば、ステップＳ１２でＩＣカード２１内に設定されたサービス領域に、ステップＳ１１で取得された会員ＩＤを書き込む。これにより、ユーザが提供を受けたいサービスのためにＩＣカード２１内に確保されたサービス領域内に、そのサービスにおけるユーザの会員ＩＤが書き込まれる。
【００６７】
ステップＳ１３での会員ＩＤ書き込み処理が終了すると、インストール装置３０は、モバイルアプリケーション３８をモバイル端末２０に送信する（ステップＳ１４）。具体的には、インストール装置３０は、ＩＣカード書き込み処理の完了を確認すると、記憶部１３４（アプリケーション記憶部３２）からモバイルアプリケーション３８を読み出し、読み出したモバイルアプリケーション３８を、インストール装置３０とデータ通信可能に接続されているモバイル端末２０に送信する。
【００６８】
モバイル端末２０は、ステップＳ１４でのインストール装置３０によるモバイルアプリケーション３８の送信に応じて、アプリケーションダウンロード処理を行う（ステップＳ１５）。具体的には、モバイル端末２０は、インストール装置３０からモバイルアプリケーション３８を受信して、受信したモバイルアプリケーション３８を記憶部１２４に保存する。そして、保存されたモバイルアプリケーション３８のインストール処理を行う。
【００６９】
このようなインストール方法が実行されることにより、モバイル端末２０のユーザは、会員登録しているサービスの提供をモバイル端末２０に搭載されているＩＣカード２１を利用して受けることを、簡単な操作で開始することができる。
【００７０】
［第１の実施形態の変形例１］
次に、本発明の第１の実施形態の変形例を説明する。
図５は、本発明の第１の実施形態の変形例１に係るインストールシステム１１の構成例を示すブロック図である。
なお、図５において、第１の実施形態の図１に示した構成と同一の構成には同一の符号を付して、その説明を省略する。
【００７１】
図５に示すように、変形例１に係るインストールシステム１１は、第１の実施形態に係るインストールシステム１０の構成に、引き継ぎ用ＩＣカード５０が追加されている。
また、インストール装置３０は、会員ＩＤ読み取り部６１、位置情報記憶部６２、及び位置情報書き込み部６３を更に備えている。なお、インストール装置３０が備えるこれらの構成も、第１の実施形態と同様に、図３に示した各部を制御部１３５が制御することより実現される機能的な構成である。
【００７２】
引き継ぎ用ＩＣカード５０は、モバイル端末２０へのモバイルアプリケーション３８のインストール時に、モバイル端末２０に搭載されているＩＣカード２１に引き継がれるべき引き継ぎ情報を記憶している例えば非接触型のＩＣカードである。
【００７３】
変形例１においては、引き継ぎ用ＩＣカード５０は、具体的には、サービスへの会員登録を行っている会員に発行される会員用ＩＣカードである。
会員用ＩＣカードには、例えば、会員の氏名、住所、生年月日等の会員情報や、会員ＩＤが記録されている。また、例えば、会員用ＩＣカードの所持者は、この会員用ＩＣカードを用いてサービスを受けることができる。
【００７４】
モバイル端末２０に搭載されているＩＣカード２１を用いてサービスを受けることができるようにしたいユーザが、既に別途そのサービスの会員用ＩＣカードを所持しているような場合には、変形例１のインストールシステム１１を用いることにより、会員用ＩＣカードを利用して、より簡単な操作で、モバイル端末２０にモバイルアプリケーション３８をインストールさせることができる。
【００７５】
変形例１において、インストール装置３０の会員ＩＤ取得部３４は、会員ＩＤ読み取り部６１を含んでいる。
会員ＩＤ読み取り部６１は、例えば、モバイル端末２０のユーザによって引き継ぎ用ＩＣカード５０がＩＣカードリーダライタ３１と通信可能な位置に置かれると、会員用ＩＣカードである引き継ぎ用ＩＣカード５０から、ＩＣカードアクセス部３３を介して、会員ＩＤを読み取る。
【００７６】
これにより、会員ＩＤ取得部３４において会員ＩＤが取得され、取得された会員ＩＤは会員ＩＤ書き込み部３６によってＩＣカード２１内のサービス領域に書き込まれる。
【００７７】
位置情報記憶部６２は、インストール装置３０の通信ネットワーク４０上の位置情報を記憶している。具体的には、インストール装置３０がインターネット上に存在する場合には、位置情報として、例えばインターネット内におけるインストール装置３０の場所を特定するＵＲＬ(Uniform Resource Locator)が、位置情報記憶部６２に記憶されている。
【００７８】
位置情報書き込み部６３は、位置情報記憶部６２からインストール装置３０のＵＲＬを読み出し、読み出したＵＲＬを、ＩＣカードアクセス部３３を介して、サービス領域設定部３５によってサービス領域が設定されたＩＣカード２１内に書き込む。
なお、この場合、ＵＲＬは、ＩＣカード２１内のサービス領域以外のメモリ領域、例えばＵＲＬ記憶専用のメモリ領域に書き込まれても良い。
【００７９】
モバイル端末２０に搭載されているＩＣカード２１内に、サービス領域が設定されて、会員ＩＤ及びインストール装置のＵＲＬが書き込まれると、モバイル端末２０のアプリケーションダウンロード部２２は、書き込まれたＵＲＬをＩＣカード２１から読み出して参照し、そのＵＲＬに基づき、通信ネットワーク４０を介してインストール装置３０にアクセスする。そして、アプリケーションダウンロード部２２は、インストール装置３０からモバイルアプリケーション３８をダウンロードする処理を実行する。
【００８０】
なお、アプリケーションダウンロード部２２により実行されるこれらの処理は、図２に示したＲＯＭ１２７や記憶部１２４に記憶されているプログラムに従った制御部１２５の処理により実行される。
【００８１】
インストール装置３０のアプリケーション送信部３７は、位置情報書き込み部６３によってＩＣカード２１に書き込まれたＵＲＬを参照してアクセスしてきたモバイル端末２０に、アプリケーション記憶部３２に記憶されているモバイルアプリケーション３８を送信する。
【００８２】
以上説明した変形例１においては、引き継ぎ用ＩＣカード５０として会員用ＩＣカードを利用し、サービスの提供を受ける会員の会員情報に紐付いている会員ＩＤを取得する。
従って、変形例１によれば、会員ＩＤの入力を簡素化することができると共に、会員ＩＤに紐付けられている会員情報を引き継ぐことができる。
【００８３】
また、変形例１においては、ＩＣカードリーダライタ３１を介して、引き継ぎ用ＩＣカード５０から会員ＩＤを読み取ると共に、モバイル端末２０に搭載されているＩＣカード２１に会員ＩＤを書き込む。
従って、変形例１によれば、通信ネットワーク４０を介した無線通信等を使わずに、引き継ぎ用ＩＣカード５０から、モバイル端末２０に搭載されているＩＣカード２１に、ダイレクトに会員ＩＤを引き継ぐことができる。
【００８４】
また、変形例１においては、モバイル端末２０は、モバイル端末２０にインストールされるモバイルアプリケーション３８の格納場所であるインストール装置３０のＵＲＬを、ＩＣカードリーダライタ３１を介して取得し、そのＵＲＬに基づいてインストール装置３０からモバイルアプリケーション３８をダウンロードする。
【００８５】
従って、変形例１によれば、モバイル端末２０がＵＲＬに基づきモバイルアプリケーション３８の格納場所を特定することができ、モバイルアプリケーション３８のダウンロードを自動的に行うことができる。また、そのため、ユーザがモバイルアプリケーション３８の格納場所を探す手間が不要となり、パケット通信費等のデータ通信にかかる費用を最小限に抑えることができる。
【００８６】
［第１の実施形態の変形例２］
図６は、本発明の第１の実施形態の変形例２に係るインストールシステム１２の構成例を示すブロック図である。
なお、図６において、変形例１の図５に示した構成と同一の構成には同一の符号を付して、その説明を省略する。
【００８７】
図６に示すように、変形例２に係るインストールシステム１２においては、インストール装置３０は、変形例１の会員ＩＤ読み取り部６１に代えて本人確認用情報読み取り部７１及び会員ＩＤ付与部７２を備えており、更に、会員情報記憶部７３を備えている。なお、インストール装置３０が備えるこれらの構成も、第１の実施形態と同様に、図３に示した各部を制御部１３５が制御することにより実現される機能的な構成である。
【００８８】
変形例２においては、引き継ぎ用ＩＣカード５０は、具体的には、モバイル端末２０のユーザの本人確認用情報が記録されている本人確認用ＩＣカードである。本人確認用ＩＣカードは、例えば、ＩＣチップ内蔵の免許証、住民基本台帳カード、パスポート等の身分証明書である。
本人確認用ＩＣカードには、本人確認用情報として、例えば、そのカードの所持者の氏名、住所、生年月日等の個人特定情報が記録されている。
【００８９】
モバイル端末２０に搭載されているＩＣカード２１を用いてサービスを受けることができるようにしたいユーザが、未だそのサービスへの会員登録を行っていないような場合には、変形例２のインストールシステム１２を用いることにより、本人確認用ＩＣカードを利用して、より簡単な操作で、モバイル端末２０にモバイルアプリケーション３８をインストールさせることができる。
【００９０】
変形例２において、インストール装置３０の会員ＩＤ取得部３４は、本人確認用情報読み取り部７１及び会員ＩＤ付与部７２を含んでいる。
本人確認用情報読み取り部７１は、例えば、モバイル端末２０のユーザによって引き継ぎ用ＩＣカード５０がＩＣカードリーダライタ３１と通信可能な位置に置かれると、本人確認用ＩＣカードである引き継ぎ用ＩＣカード５０から、ＩＣカードアクセス部３３を介して、そのユーザの個人特定情報である本人確認用情報を読み取る。
【００９１】
会員ＩＤ付与部７２は、本人確認用情報読み取り部７１によって読み取られた本人確認用情報に関連付けて、モバイル端末２０のユーザにサービスの会員ＩＤを付与する。
具体的には、会員ＩＤ付与部７２は、会員登録されていないモバイル端末２０のユーザの本人確認用情報が本人確認用情報読み取り部７１によって読み取られると、そのユーザに付与するための会員ＩＤを生成する。
【００９２】
これにより、会員ＩＤ取得部３４において会員ＩＤが取得され、取得された会員ＩＤは会員ＩＤ書き込み部３６によってＩＣカード２１内のサービス領域に書き込まれる。
【００９３】
また、本人確認用情報読み取り部７１によって本人確認用情報として読み取られたモバイル端末２０のユーザの個人特定情報と、会員ＩＤ付与部７２によってそのユーザに割り当てられた会員ＩＤと、は互いに関連付けられて会員情報記憶部７３に記録される。
【００９４】
なお、会員情報記憶部７３に記憶されている情報は、例えば、実際にＩＣカード２１を用いたサービスが提供された際に、ＩＣカード２１に記憶されている会員ＩＤから、そのサービスを受けた個人を特定するために使用される。
【００９５】
以上説明した変形例２によれば、モバイル端末２０のユーザがサービスへの会員登録を行っていない者であっても、引き継ぎ用ＩＣカード５０として本人確認用ＩＣカードを利用して、簡単な操作で、モバイル端末２０に搭載されているＩＣカード２１を用いるサービスの利用を開始することができる。
【００９６】
ところで、ユーザが、モバイル端末２０に搭載されているＩＣカード２１を用いるサービスの利用を開始したい場合には、ＩＣカード２１のメモリ領域を操作するためのモバイルアプリケーション３８のモバイル端末２０への導入、ＩＣカード２１内でのサービス領域の確保、初期情報の入力等の初期化処理を行う必要がある。
【００９７】
本発明の第１の実施形態及びその変形例においては、この初期化の操作を簡素化するために、まず、ＩＣカードリーダライタ３１から直接、モバイル端末２０のＩＣカード２１内に、サービスに使用されるサービス領域を確保する。そして、ＩＣカード２１内に確保されたサービス領域に、情報入力用の引き継ぎ用ＩＣカード５０から取得した引き継ぎ情報が書き込まれた状態で、そのサービスに対応したメモリ領域操作用のモバイルアプリケーション３８が、モバイル端末２０にダウンロードされる。
【００９８】
一方、本実施形態とは異なる初期化の方法としては、例えば、モバイル端末にモバイルアプリケーションをダウンロードしてから、そのモバイルアプリケーションに従った操作により引き継ぎ情報を入力する方法がある。この場合、引き継ぎ情報の入力を簡素化するために、ユーザ毎のモバイルアプリケーションを予め用意しておき、モバイル端末にダウンロードすることが考えられる。また、モバイルアプリケーションとは別のユーザ毎の設定ファイルを予め用意しておくことも考えられる。
【００９９】
しかし、このような方法では、ユーザ毎のモバイルアプリケーションを作成する必要があるため、モバイルアプリケーションの作成者側にとって負担が大きい。
これに対し、本実施形態によれば、全ユーザに共通のモバイルアプリケーションを用いて、モバイル端末内のＩＣカードを用いて提供されるサービスを簡単に開始させることができる。
【０１００】
［第２の実施形態］
次に、本発明のより具体的な実施形態を、本発明の第２の実施形態として説明する。
本発明の第２の実施形態では、第１の実施形態におけるインストール装置３０を、機能毎に複数の装置に分けている。
【０１０１】
図７は、本発明の第２の実施形態に係るインストールシステム２００の構成例を示すブロック図である。
図７に示すように、本発明の第２の実施形態に係るインストールシステム２００は、サービス事業者サーバ２１０と、ＩＣチップサーバ２２０と、モバイルアプリケーションダウンロード端末２３０と、引き継ぎ用ＩＣカード２４０と、モバイル端末２５０と、を備えている。
【０１０２】
なお、第２の実施形態におけるこれらの構成を、第１の実施形態及びその変形例における各構成に対応させた場合、サービス事業者サーバ２１０、ＩＣチップサーバ２２０、及びモバイルアプリケーションダウンロード端末２３０の組み合わせが、第１の実施形態におけるインストール装置３０に対応する。また、引き継ぎ用ＩＣカード２４０は、第１の実施形態の変形例１、２における引き継ぎ用ＩＣカード５０に対応し、モバイル端末２５０は、第１の実施形態におけるモバイル端末２０に対応する。
【０１０３】
更に、モバイルアプリケーションダウンロード端末２３０のハードウェア構成は、図３に示したインストール装置３０のハードウェア構成と実質的に同様とすることができる。また、サービス事業者サーバ２１０及びＩＣチップサーバ２２０のハードウェア構成は、図３に示したインストール装置３０のハードウェア構成からＩＣカードリーダライタ３１を除いた構成と実質的に同様とすることができる。
【０１０４】
図７に戻り、サービス事業者サーバ２１０と、ＩＣチップサーバ２２０と、モバイルアプリケーションダウンロード端末２３０と、は互いに有線ＮＷ（ＮＷ：ネットワーク）で接続される。
モバイル端末２５０は、サービス事業者サーバ２１０と無線ＮＷで接続されており、モバイルアプリケーションダウンロード端末２３０と非接触／接触Ｉ／Ｆ（Ｉ／Ｆ：インタフェース）で接続される。
引き継ぎ用ＩＣカード２４０は、モバイルアプリケーションダウンロード端末２３０と非接触／接触Ｉ／Ｆで接続される。
【０１０５】
サービス事業者サーバ２１０は、例えば、電子マネーサービス等のＩＣカードを利用したサービスを提供するサービス事業者が保持するサーバである。サービス事業者サーバ２１０は、会員情報を記憶する会員情報ＴＢＬ（ＴＢＬ：テーブル）２１１と、モバイル端末２５０で動作するアプリケーションであるモバイルアプリケーション２１２と、を保持する。
【０１０６】
ＩＣチップサーバ２２０は、モバイルアプリケーションダウンロード端末２３０と有線ＮＷでつながっており、ネットワーク経由で、ＩＣカードに内蔵されているＩＣチップ上へのサービス領域の発行、ＩＣチップへの書き込みを実施できるサーバである。
ＩＣチップサーバ２２０は、ＩＣチップ上へのサービス領域の発行処理を行うモジュールであるＩＣチップ発行モジュール２２１と、ＩＣチップへの書き込み処理を行うモジュールであるＩＣチップ書き込みモジュール２２２と、を有している。
【０１０７】
ＩＣチップサーバ２２０とモバイルアプリケーションダウンロード端末２３０との間で暗号化処理が施されることにより、書き込み処理のセキュリティを担保することができる。なお、セキュリティを担保する必要が無い場合や、モバイルアプリケーションダウンロード端末２３０からＰＩＮ（Personal Identification Number）の入力を利用者に求める場合には、ＩＣチップサーバ２２０をインストールシステム２００の構成から除き、モバイルアプリケーションダウンロード端末２３０から直接ＩＣチップに対する発行処理及び書き込み処理を行うようにしても良い。
【０１０８】
モバイルアプリケーションダウンロード端末２３０は、ＩＣカードリーダライタ（以下、Ｒ／Ｗ（リーダライタ）と記載する）２３１を備えており、また、モジュールとしてのＲ／Ｗモジュール２３２を有している。
【０１０９】
モバイルアプリケーションダウンロード端末２３０は、Ｒ／Ｗモジュール２３２によって読み取ったデータを、サービス事業者サーバ２１０及びＩＣチップサーバ２２０に対して送信し、また、Ｒ／Ｗモジュール２３２によって書き込むデータを、サービス事業者サーバ２１０及びＩＣチップサーバ２２０から受信する端末である。
【０１１０】
モバイルアプリケーションダウンロード端末２３０は、Ｒ／Ｗ２３１を介して、引き継ぎ用ＩＣカード２４０及びモバイル端末２５０と非接触／接触Ｉ／Ｆで接続される。
【０１１１】
本実施形態におけるモバイルアプリケーションダウンロード端末２３０は、Ｒ／Ｗ２３１を２つ保持しており、その内の少なくとも１つは非接触型ＩＣカードに記録されている情報を読み取ることができるＲ／Ｗである。そのため、モバイルアプリケーションダウンロード端末２３０は、モバイル端末に搭載されているＩＣカードから情報を読み取ることができる。
【０１１２】
なお、これは、本発明の範囲を狭くするものではなく、あくまで一例であり、モバイルアプリケーションダウンロード端末２３０に搭載されるＲ／Ｗ２３１の数、種類等はこれに限定されるものではない。例えば、モバイルアプリケーションダウンロード端末２３０に搭載されるＲ／Ｗ２３１は１台のみであっても良い。また、ＩＣカードの発行機能を有するようなＲ／Ｗ付きモバイル端末を、モバイルアプリケーションダウンロード端末２３０に接続し、これをＲ／Ｗとして使用するようにしても良い。
【０１１３】
利用者がＩＣカードをＲ／Ｗへかざす際、Ｒ／Ｗが２台ある場合は、一方に引き継ぎ用ＩＣカード２４０、もう一方にＩＣカード２５２を搭載しているモバイル端末２５０をかざす。なお、Ｒ／Ｗが１台のみの場合は、引き継ぎ用ＩＣカード２４０をかざした後に、モバイル端末２５０をかざしても良いし、また、引き継ぎ用ＩＣカード２４０とモバイル端末２５０とを重ねてかざしても良い。
【０１１４】
引き継ぎ用ＩＣカード２４０は、免許証等の本人確認用ＩＣカード、引き継ぎデータが登録されたＩＣカード等である。
【０１１５】
なお、これは、本発明の範囲を狭くするものではなく、あくまで一例であり、これに限定されるものではない。例えば、引き継ぎ用ＩＣカード２４０は、モバイル端末に搭載されているＩＣカードであっても良い。そのような場合、発行対象のＩＣカードと本人確認用のＩＣカードとが物理的に分離している複数のＩＣカードを、モバイル端末が保持しているような形態であっても良い。また、モバイル端末に搭載されている１枚のＩＣカードの中に、発行対象のＩＣカードと本人確認用のＩＣカードとに対応する領域が論理的に分かれて存在しているような形態であっても良い。
【０１１６】
モバイル端末２５０は、無線ＮＷ経由でアプリケーションをダウンロードするためのダウンロードモジュール２５１と、非接触Ｒ／Ｗから書き込みが可能なＩＣカード２５２と、を保有する。
【０１１７】
なお、以上の構成において、有線ＮＷとした箇所を無線ＮＷとしても良いし、無線ＮＷとした箇所を有線ＮＷとしても良い。
例えば、モバイルアプリケーションダウンロード端末２３０を設置する場所に、有線ＮＷの敷設が難しい場合、モバイルアプリケーションダウンロード端末２３０にモバイル通信用カードを差し込むことにより、無線ＮＷとしても良い。また、無線ＬＡＮ環境を構築し、その配下にモバイルアプリケーションダウンロード端末２３０を設置しても良い。
【０１１８】
更に、モバイル端末２５０に、有線ＮＷに接続するためのＩ／Ｆを用意することにより、有線ＮＷを経由して、サービス事業者サーバ２１０からモバイルアプリケーション２１２をモバイル端末２５０にダウンロードするようにしても良い。
【０１１９】
また、本実施形態に係るインストールシステム２００では、モバイル端末２５０にモバイルアプリケーション２１２をインストールさせるための装置を、機能毎に分けて、サービス事業者サーバ２１０、ＩＣチップサーバ２２０、及びモバイルアプリケーションダウンロード端末２３０の３つの装置に明示的に分けている。しかしながら、複数の機能を併せ持つサーバ、端末としても良い。例えば、すべての機能をモバイルアプリケーションダウンロード端末２３０に持たせても良く、また、サービス事業者サーバ２１０とＩＣチップサーバ２２０とを統合しても良い。
【０１２０】
更には、各装置間の接続形態を変えても良い。例えば、データ通信経路に関して、サービス事業者サーバ２１０のバックにＩＣチップサーバ２２０が存在するように接続し、モバイルアプリケーション端末２３０とＩＣチップサーバ２２０とがサービス事業者サーバ２１０を経由して接続されるようにしても良い。
【０１２１】
また、モバイル端末２５０が保持しているＩＣカード２５２と、モバイルアプリケーションダウンロード端末２３０と、の間において、セキュリティを担保したデータのやり取りを行っても良い。そのようなやり取りは、例えば、予めモバイル端末２５０又はＩＣカード２５２に暗号化情報を保有しておき、その暗号化情報を復号するための鍵をＩＣチップサーバ２２０が保有しておくことにより、実現される。具体的には、これにより、モバイル端末２５０とＩＣチップサーバ２２０との間にあるモバイルアプリケーションダウンロード端末２３０では暗号化情報は復号できず、モバイルアプリケーションダウンロード端末２３０で暗号化情報が読み取られることはない。なお、鍵の保有場所は、サービス提供者の運用に応じて変更しても良い。
【０１２２】
次に、図８及び図９を用いて、インストールシステム２００を用いたモバイルアプリケーション２１２のダウンロード方法について説明する。
このダウンロード方法においては、引き継ぎデータをダイレクトにモバイル端末２５０に保存するために、引き継ぎデータに紐付く会員ＩＤをモバイル端末２５０に付属されたＩＣカード２５２に保存するようにしている。
【０１２３】
また、モバイルアプリケーション２１２のダウンロード後に利用者が即座にサービスを受けることができるよう、サービスを受ける上で必要な会員ＩＤをＩＣカード２５２に保存した後に、モバイルアプリケーション２１２をダウンロードするようにしている。
【０１２４】
図８は、本発明の第２の実施形態におけるインストール方法の手順例を示す手順説明図であり、図９は、そのインストール時に記録されるデータの一例を示す図である。
なお、ここでは、利用者の会員情報を会員情報ＴＢＬ２１１に新たに登録する際のインストール方法について説明する。
【０１２５】
事前準備作業として、引き継ぎ用ＩＣカード２４０と、ＩＣカード２５２付きモバイル端末２５０と、をそれぞれＲ／Ｗ２３１によるデータの読み書きが可能な位置に配置しておく。
【０１２６】
まず、モバイルアプリケーションダウンロード端末２３０は、Ｒ／Ｗモジュール２３２によってＲ／Ｗ２３１を介し、引き継ぎ用ＩＣカード２４０と、モバイル端末２５０に付属のＩＣカード２５２と、から各カードに記録されているカード情報を読み取る（ステップＳ２０１）。
【０１２７】
具体的には、モバイルアプリケーションダウンロード端末２３０は、引き継ぎ用ＩＣカード２４０から会員情報を読み取り、モバイル端末２５０に付属のＩＣカード２５２からＩＣカードを識別するための識別情報であるＩＣカードＩＤを読み取る。
【０１２８】
なお、この読み取り処理において、モバイルアプリケーションダウンロード端末２３０は、引き継ぎ用ＩＣカード２４０から読み取った会員情報を、モバイルアプリケーションダウンロード端末２３０に備え付けられているモニタに表示させて、次の処理に移る前に、利用者に確認を促すようにしても良い。
【０１２９】
モバイルアプリケーションダウンロード端末２３０は、ステップ２０１でカード情報を読み取ると、読み取った２つのカード情報である会員情報とＩＣカードＩＤとをサービス事業者サーバ２１０へ送信する（ステップＳ２０２）。送信された情報は、サービス事業者サーバ２１０内の会員情報ＴＢＬ２１１に書き込まれる。
【０１３０】
なお、このとき、サービスの利用に必要な他の情報を併せて送信しても良い。例えば、利用者がモバイルアプリケーションダウンロード端末２３０を操作して、利用したいサービスの種類を選択した場合には、そのサービス情報を、会員情報及びＩＣカードＩＤと共にサービス事業者サーバ２１０へ送信する。
このような場合、例えば、図９（ａ）に示すように、ＩＣカードＩＤと会員情報とサービス情報とが、互いに関連付けられてサービス事業者サーバ２１０へ送信され、会員情報ＴＢＬ２１１に記録される。
【０１３１】
また、このとき、サービス事業者サーバ２１０を認証サーバとして機能させ、サービス事業者サーバ２１０が、受信したカード情報に基づきユーザ認証を行うようにしても良い。その場合、例えば、引き継ぎ用ＩＣカード２４０を認証用カードとして使用して、正当な会員情報が記録されている引き継ぎ用ＩＣカード２４０を利用者がＲ／Ｗ２３１にかざした場合にのみ、後述するステップＳ２０５のＩＣチップ発行処理を実行させるようにすれば良い。
【０１３２】
サービス事業者サーバ２１０は、ステップＳ２０２でモバイルアプリケーションダウンロード端末２３０から送信された情報を受信し、受信した情報に対してキーとなる会員ＩＤを生成する（ステップＳ２０３）。
【０１３３】
生成された会員ＩＤは、会員情報ＴＢＬ２１１に書き込まれる。例えば、図９（ｂ）に示すように、生成された会員ＩＤは、既に書き込まれているＩＣカードＩＤと会員情報とサービス情報とに関連付けられて、会員情報ＴＢＬ２１１に記録される。
【０１３４】
なお、会員ＩＤの生成をモバイルアプリケーションダウンロード端末２３０が行って、ステップＳ２０２の処理においてカード情報と共にサービス事業者サーバ２１０に送信するようにしても良い。
【０１３５】
また、仮に、利用者の会員情報が会員情報ＴＢＬ２１１に既に登録されており、引き継ぎ用ＩＣカード２４０に記録されている会員情報の中に会員ＩＤが含まれているような場合には、ステップＳ２０３の処理を省略して、会員情報に含まれている会員ＩＤを使用すれば良い。
【０１３６】
サービス事業者サーバ２１０は、ステップＳ２０３で会員ＩＤを生成すると、会員ＩＤと、モバイルアプリケーション２１２の格納場所を示すモバイルアプリケーションダウンロード用のＵＲＬの情報と、をＩＣチップサーバ２２０へ送信し、モバイル端末２５０に付属されているＩＣカード２５２への書き込み要求を行う（ステップＳ２０４）。
なお、サービス事業者サーバ２１０は、サービス情報を取得している場合には、会員ＩＤとＵＲＬとに加えてサービス情報も送信する。
【０１３７】
また、前述したように、セキュリティを担保する必要が無い場合や、モバイルアプリケーションダウンロード端末２３０からＰＩＮの入力を利用者に求めるような場合には、ＩＣチップサーバ２２０をインストールシステム２００の構成から除いても良い。そして、そのような場合には、サービス事業者サーバ２１０は、ステップＳ２０４の処理を実施せずに、ステップＳ２０３で会員ＩＤを生成した後、レスポンスをモバイルアプリケーションダウンロード端末２３０に返却し、モバイルアプリケーションダウンロード端末２３０からモバイル端末２５０へ直接ＩＣチップに対する発行処理及び書き込み処理を行うようにすれば良い。
【０１３８】
ＩＣチップサーバ２２０は、モバイルアプリケーションダウンロード端末２３０のＲ／Ｗ２３１を経由して、モバイル端末２５０に付属されているＩＣカード２５２内のＩＣチップ上にサービス領域を発行するＩＣチップ発行処理を実行する（ステップＳ２０５）。
なお、この処理は、ＩＣチップ発行モジュール２２１により実行される。また、換言すると、この処理により、ＩＣカード２５２内にサービス領域が設定される。
【０１３９】
続いて、ＩＣチップサーバ２２０は、モバイルアプリケーションダウンロード端末２３０のＲ／Ｗ２３１を経由して、モバイル端末２５０に付属されているＩＣカード２５２に、具体的にはＩＣカード２５２内のＩＣチップに、会員ＩＤとＵＲＬとを書き込むＩＣチップ書き込み処理を実行する（ステップＳ２０６）。
なお、この処理は、ＩＣチップ書き込みモジュール２２２により実行される。
【０１４０】
ところで、例えば複数のサービスが同時に展開されるような場合には、サービス情報をＩＣカード２５２に書き込んでおいた方が便利である。そのため、ＩＣチップサーバ２２０は、ステップＳ２０４でサービス事業者サーバ２１０から会員ＩＤとＵＲＬとに加えてサービス情報も送信されてきた場合には、例えば、図９（ｃ）に示すように、会員ＩＤ及びＵＲＬの情報に加えてサービス情報も、ＩＣカード２５２内のＩＣチップに書き込む。
【０１４１】
モバイル端末２５０は、ＩＣカード２５２に情報が書き込まれたことを検知すると、モバイルアプリケーション２１２のダウンロードを利用者に促すためのイベント通知処理を行う（ステップＳ２０７）。具体的には、モバイル端末２５０は、ＩＣカード２５２に書き込まれたＵＲＬをＩＣカード２５２から読み出し、読み出したＵＲＬへの接続を利用者に促す画面を、モバイル端末２５０に備え付けられているモニタに表示させる。
【０１４２】
なお、ステップＳ２０６の処理において、ＵＲＬ情報のＩＣチップへの書き込みを省略することもできる。その場合には、ＵＲＬ以外の情報をＩＣチップへ書き込んだ後に、例えば、ＵＲＬ情報をＲ／Ｗ２３１からモバイル端末２５０へダイレクトに送信させて、ステップＳ２０７のイベント通知処理を行うようにすれば良い。
【０１４３】
ステップＳ２０７のイベント通知処理でモバイルアプリケーション２１２のダウンロードを促された利用者は、例えば、表示された画面に従ってモバイル端末２５０を操作する。モバイル端末２５０は、利用者の操作に応じて、ステップＳ２０６でＩＣカード２５２に書き込まれたＵＲＬへ接続するＵＲＬ接続処理を行う（ステップＳ２０８）。
【０１４４】
具体的には、モバイル端末２５０は、ＵＲＬに基づきＷｅｂサーバとしての機能も有するサービス事業者サーバ２１０に接続する。このとき、モバイル端末２５０は、ステップＳ２０６でＩＣカード２５２に書き込まれた会員ＩＤを、ＵＲＬパラメータに含め、更に、ＩＣカード２５２からＩＣカードＩＤを読み出し、読み出したＩＣカードＩＤを通信電文に自動的に付加して、サービス事業者サーバ２１０に自動送出する。
【０１４５】
サービス事業者サーバ２１０は、通信電文に付加されているＩＣカードＩＤが会員情報ＴＢＬ２１１に登録されているかを確認する（ステップＳ２０９）。更に、サービス事業者サーバ２１０は、ＵＲＬパラメータに含まれている会員ＩＤも同様に、会員情報ＴＢＬ２１１に登録されているかを確認する。
【０１４６】
例えば、サービス事業者サーバ２１０は、図９（ｂ）に例示した会員情報ＴＢＬ２１１内の情報を参照して確認を行い、確認の結果、ＩＣカードＩＤと会員ＩＤとの組み合わせが登録されていれば、会員情報登録済みであると判断し、登録されていなければ、例えば不正処理が行われたと判断する。
【０１４７】
サービス事業者サーバ２１０は、ステップＳ２０９での確認の結果、例えば会員情報登録済みであると判断すると、モバイル端末２５０にモバイルアプリケーション２１２のダウンロードを許可する。
モバイル端末２５０は、その許可を受けて、モバイルアプリケーション２１２のダウンロード処理を実施する（ステップＳ２１０）。
【０１４８】
なお、ステップＳ２０６のＩＣチップ書き込み処理が実行された後は、モバイルアプリケーション２１２のダウンロード処理はいつ行っても良いため、利用者の都合に合わせて、ステップＳ２０７〜Ｓ２１０の処理を後で行うようにしても良い。
また、ステップＳ２０７〜Ｓ２１０の処理を省略して、ステップＳ２０６のＩＣチップ書き込み処理において、同時に、モバイルアプリケーション２１２を書き込むようにしても良い。
【０１４９】
以上のインストール方法では、ステップＳ２０２でサービス事業者サーバ２１０へ送信した会員情報を、適切にモバイル端末２５０に引き継ぐために、ステップＳ２０９においてＩＣカードＩＤを確認する認証処理を実施している。
この処理が導入されていることにより、ステップＳ２０２で送信された会員情報が、別のモバイル端末に引き継がれてしまうといったオペレーションミス、不正処理を防ぐことができる。
【０１５０】
以上説明した第２の実施形態によれば、モバイル端末２５０にモバイルアプリケーション２１２をインストールさせるための装置を、機能毎に複数の装置に分けて構成した場合であっても、モバイル端末２５０内のＩＣカード２５２を利用するサービスのユーザへの提供を簡単な操作で開始させることができる。
【０１５１】
［第３の実施形態］
次に、モバイル端末２５０にダウンロードされたモバイルアプリケーション２１２をバージョンアップする方法を、本発明の第３の実施形態として説明する。
なお、第３の実施形態に係るインストールシステムは、図７に示した第２の実施形態に係るインストールシステム２００と同一の構成とすることができるため、その説明を省略し、以下では、図７に示した符号を用いて第３の実施形態を説明する。
【０１５２】
初めに、バージョンアップを行うための前提となるモバイルアプリケーション２１２のインストール方法について説明する。
図１０は、本発明の第３の実施形態におけるインストール方法の手順例を示す手順説明図であり、図１１は、そのインストール時に記録されるデータの一例を示す図である。
【０１５３】
なお、図１０に示すステップＳ３０１〜Ｓ３１０の処理は、それぞれ、第２の実施形態で説明した図８のステップＳ２０１〜Ｓ２１０の処理に部分的に対応しているため、重複する部分の説明は省略し、異なる部分を中心に説明する。
【０１５４】
まず、モバイルアプリケーションダウンロード端末２３０が、Ｒ／Ｗ２３１を介して、引き継ぎ用ＩＣカード２４０から会員情報を、モバイル端末２５０に付属のＩＣカード２５２からＩＣカードＩＤを、カード情報として読み取る（ステップＳ３０１）。
【０１５５】
次に、モバイルアプリケーションダウンロード端末２３０は、読み取ったカード情報をサービス事業者サーバ２１０へ送信する（ステップＳ３０２）。例えば、モバイルアプリケーションダウンロード端末２３０は、読み取った会員情報及びＩＣカードＩＤと、更にサービス情報と、をサービス事業者サーバ２１０へ送信する。サービス事業者サーバ２１０は、モバイルアプリケーションダウンロード端末２３０から受信した情報を互いに関連付けて、サービス事業者サーバ２１０内の会員情報ＴＢＬ２１１に書き込む。
【０１５６】
サービス事業者サーバ２１０は、モバイルアプリケーションダウンロード端末２３０から受信した情報に対してキーとなる会員ＩＤを生成する（ステップＳ３０３）。サービス事業者サーバ２１０は、生成した会員ＩＤを、既に会員情報ＴＢＬ２１１に書き込まれているモバイルアプリケーションダウンロード端末２３０から受信した情報に関連付けて、会員情報ＴＢＬ２１１に書き込む。
【０１５７】
第３の実施形態における会員情報ＴＢＬ２１１は、具体的には、図１１（ａ）に示すように、会員ＩＤと、ＩＣカードＩＤと、会員情報と、サービス情報と、アプリＶｅｒと、を関連付けて記憶する。
【０１５８】
ここで、アプリＶｅｒは、モバイル端末２５０にインストールされているモバイルアプリケーション２１２のバージョンを示す情報である。第３の実施形態は、このアプリＶｅｒを会員ＩＤ等と関連付けて会員情報ＴＢＬ２１１に記録する点で第２の実施形態と異なる。
【０１５９】
ステップＳ３０３の時点では、図１１（ａ）に示すように、会員情報ＴＢＬ２１１には、例えば、ステップＳ３０３で生成された会員ＩＤと、ステップＳ３０２でサービス事業者サーバ２１０に送信されたＩＣカードＩＤ、会員情報、及びサービス情報と、が互いに関連付けて記録されている。
そして、この時点では、モバイルアプリケーション２１２は未だモバイル端末２５０にインストールされていないため、会員情報ＴＢＬ２１１においてアプリＶｅｒの情報は関連付けられていない。
【０１６０】
続いて、サービス事業者サーバ２１０は、例えば、会員ＩＤ、モバイルアプリケーションダウンロード用のＵＲＬ、及びサービス情報と、更に最新アプリＶｅｒと、をＩＣチップサーバ２２０へ送信し、送信した情報のモバイル端末２５０に付属されているＩＣカード２５２への書き込み要求を行う（ステップＳ３０４）。
【０１６１】
ここで、最新アプリＶｅｒは、モバイルアプリケーション２１２の最新のバージョンを示す情報である。サービス事業者サーバ２１０は、例えば記憶部に、図１１（ｂ）に示すように、最新アプリＶｅｒの情報を記憶しており、更に、最新のバージョンのモバイルアプリケーション２１２のダウンロード用のＵＲＬの情報も記憶している。
【０１６２】
サービス事業者サーバ２１０は、ステップＳ３０４で書き込み要求を行う際に、会員情報ＴＢＬ２１１から会員ＩＤ及びサービス情報を読み出し、例えば記憶部からＵＲＬ及び最新アプリＶｅｒの情報を読み出し、それらを互いに関連付けてＩＣチップサーバ２２０へ送信する。
【０１６３】
ＩＣチップサーバ２２０は、サービス事業者サーバ２１０からの書き込み要求に応じて、ＩＣチップ発行処理を実行し、モバイル端末２５０に付属されているＩＣカード２５２内にサービス領域を設定する（ステップＳ３０５）。
【０１６４】
更に、ＩＣチップサーバ２２０は、サービス事業者サーバ２１０から受信した情報に基づき、ＩＣチップ書き込み処理を実行する（ステップＳ３０６）。具体的には、ＩＣチップサーバ２２０は、図１１（ｃ）に示すように、モバイル端末２５０に付属されているＩＣカード２５２に、より具体的にはＩＣカード２５２内に設定されたサービス領域に、受信した会員ＩＤ、ＵＲＬ、及びサービス情報を書き込むと共に、アプリＶｅｒとして、受信した最新アプリＶｅｒを書き込む。
【０１６５】
モバイル端末２５０は、ＩＣカード２５２に情報が書き込まれると、それを検知し、イベント通知処理を行う（ステップＳ３０７）。具体的には、モバイル端末２５０は、ＩＣカード２５２に書き込まれたＵＲＬに基づき、そのＵＲＬへの接続を利用者に促す画面を、モバイル端末２５０に備え付けられているモニタに表示させる。
【０１６６】
利用者がモニタに表示された画面に従った操作を行うと、その操作に応じて、モバイル端末２５０は、ＵＲＬ接続処理を行う（ステップＳ３０８）。具体的には、モバイル端末２５０は、ＵＲＬに従い、モバイルアプリケーション２１２の例えばダウンロード用のＷｅｂサイトを有するサービス事業者サーバ２１０にアクセスする。このとき、モバイル端末２５０は、モバイル端末２５０に付属されているＩＣカード２５２のＩＣカードＩＤを通信電文に自動的に付加し、ＩＣカード２５２に書き込まれている会員ＩＤをＵＲＬパラメータに含める。
【０１６７】
サービス事業者サーバ２１０は、通信電文に付加されているＩＣカードＩＤが会員情報ＴＢＬ２１１に登録されているかを確認する（ステップＳ３０９）。この確認は、例えば、通信電文に付加されているＩＣカードＩＤが、図１１（ａ）に示した会員情報ＴＢＬ２１１内のＩＣカードＩＤと一致するか否かにより判断する。サービス事業者サーバ２１０は、この確認の結果、登録されていれば、会員情報登録済みであると判断し、登録されていなければ、例えば何かしらの不正処理が行われたと判断する。
【０１６８】
会員情報登録済みである場合、モバイル端末２５０は、モバイルアプリケーション２１２のダウンロード処理を実施する（ステップＳ３１０）。
【０１６９】
次に、モバイル端末２５０は、ダウンロードされたモバイルアプリケーション２１２の初回起動を行う（ステップＳ３１１）。
具体的には、モバイル端末２５０は、利用者の操作に応じて、ダウンロードされたモバイルアプリケーション２１２をモバイル端末２５０にインストールし、インストールされたモバイルアプリケーション２１２を起動する。
【０１７０】
なお、このインストールは、ステップＳ３１０でモバイルアプリケーション２１２がダウンロードされた後、モバイル端末２５０によって自動的に行われるようにしても良い。
【０１７１】
初回起動において、モバイルアプリケーション２１２は、モバイル端末２５０を制御し、サービス事業者サーバ２１０との間で自動通信を開始し、ＩＣカード２５２に書き込まれている会員ＩＤとアプリＶｅｒとをサービス事業者サーバ２１０に送信する。なお、この送信において、ＩＣカードＩＤを併せて送信しても良い。
【０１７２】
サービス事業者サーバ２１０は、モバイル端末２５０から受信した会員ＩＤとアプリＶｅｒとを紐付けて、会員情報ＴＢＬ２１１に記録する。
具体的には、サービス事業者サーバ２１０は、モバイル端末２５０から、例えば会員ＩＤ「１２３」とアプリＶｅｒ「１．０」とを受信すると、図１１（ａ）に例示した会員ＩＤ「１２３」の関連情報のアプリＶｅｒの空欄に「１．０」を書き込むことにより、図１１（ｄ）に示すように、会員ＩＤ「１２３」とアプリＶｅｒ「１．０」とを関連付けて会員情報ＴＢＬ２１１に記録する。
【０１７３】
以上のインストール方法の手順を実行することにより、以下に説明するモバイルアプリケーションのバージョンアップを簡素化することができる。
【０１７４】
次に、上記インストール方法でモバイル端末２３０にインストールされたモバイルアプリケーション２１２をバージョンアップする方法について説明する。
図１２は、バージョンアップ方法の手順例を示す手順説明図であり、図１３は、そのバージョンアップ時に記録されるデータの一例を示す図である。
【０１７５】
なお、図１２に示すステップＳ３２１〜Ｓ３２９の処理は、それぞれ、図１０のステップＳ３０１、Ｓ３０２、Ｓ３０４、Ｓ３０６〜Ｓ３１１の処理に部分的に対応しているため、重複する部分の説明は省略し、異なる部分を中心に説明する。
【０１７６】
また、以下では、具体例として、モバイルアプリケーション２１２のバージョンを、上記インストール方法の実行後のアプリＶｅｒ「１．０」から、アプリＶｅｒ「２．０」にバージョンアップする場合を例にとり、説明する。
【０１７７】
そのため、バージョンアップの前においては、上記インストール方法からの説明に引き続き、モバイル端末２５０に付属のＩＣカード２５２に、図１１（ｃ）に示すデータが記録されているものとし、サービス事業所サーバ２１０内の会員情報ＴＢＬ２１１に、図１１（ｄ）に示すデータが記録されているものとする。
【０１７８】
バージョンアップにおいては、まず、モバイルアプリケーションダウンロード端末２３０が、Ｒ／Ｗ２３１を介して、モバイル端末２５０に付属のＩＣカード２５２からカード情報として、ＩＣカードＩＤを読み取る（ステップＳ３２１）。
【０１７９】
なお、このとき、モバイルアプリケーションダウンロード端末２３０は、ＩＣカードＩＤに代えて会員ＩＤのみをＩＣカード２５２から読み取っても良い。また、モバイルアプリケーションダウンロード端末２３０は、ＩＣカードＩＤと会員ＩＤとを同時にＩＣカード２５２から読み取っても良い。
【０１８０】
次に、モバイルアプリケーションダウンロード端末２３０は、ステップＳ３２１で読み取ったカード情報であるＩＣカードＩＤをサービス事業者サーバ２１０に送信する（ステップＳ３２２）。サービス事業者サーバ２１０は、モバイルアプリケーションダウンロード端末２３０から受信したＩＣカードＩＤが、会員情報ＴＢＬ２１１に存在するか否かを判断する。そして、ＩＣカードＩＤが存在する場合には、会員情報登録済みと判断して、次の処理に進む。
【０１８１】
一方、ＩＣカードＩＤが会員情報ＴＢＬ２１１に存在しない場合には、ＩＣカードＩＤが登録されていないため、サービス事業者サーバ２１０は、会員情報未登録と判断する。このとき、サービス事業者サーバ２１０は、利用者に引き継ぎ用ＩＣカード２４０の挿入を求めるようにしても良い。
【０１８２】
会員情報登録済みと判断すると、サービス事業者サーバ２１０は、例えば、会員ＩＤと、モバイルアプリケーションダウンロード用のＵＲＬと、サービス情報と、最新アプリＶｅｒと、をＩＣチップサーバ２２０へ送信し、送信した情報のモバイル端末２５０に付属されているＩＣカード２５２への書き込み要求を行う（ステップＳ３２３）。
【０１８３】
ここで、会員ＩＤ及びサービス情報に関しては、サービス事業者サーバ２１０は、例えば、図１１（ｄ）に示したバージョンアップ前の会員情報ＴＢＬ２１１から、ステップＳ３２２で送信されたＩＣカードＩＤに関連付けられている会員ＩＤ及びサービス情報を読み出し、ＩＣチップサーバ２２０へ送信する。
【０１８４】
また、ここでは、具体例として、サービス事業者サーバ２１０が、図１３（ａ）に示すように、モバイルアプリケーション２１２の最新のバージョンとして、最新アプリＶｅｒ「２．０」を記憶部に記憶しており、この最新アプリＶｅｒ「２．０」をＩＣチップサーバ２２０へ送信するものとする。
【０１８５】
サービス事業者サーバ２１０は、書き込み要求を行うに際し、具体的には、最新アプリＶｅｒの情報と共に、ダウンロード用のＵＲＬとして、その最新アプリＶｅｒが示すバージョンのモバイルアプリケーション２１２をダウンロードさせるためのＵＲＬを、ＩＣチップサーバ２２０へ送信する。
【０１８６】
なお、モバイルアプリケーション２１２をサービス事業者サーバ２１０以外のサーバからモバイル端末２５０へダウンロードさせるようにしても良いため、ここでのダウンロード用のＵＲＬは、会員登録時に登録されていたＵＲＬとは異なるＵＲＬであっても良い。
【０１８７】
ＩＣチップサーバ２２０は、書き込み要求に応じて、モバイル端末２５０に付属されているＩＣカード２５２上に、ＵＲＬ、最新アプリＶｅｒの情報、及びサービス情報を書き込むＩＣチップ書き込み処理を実行する（ステップＳ３２４）。
【０１８８】
具体的には、ＩＣチップサーバ２２０は、サービス事業者サーバ２１０から受信した会員ＩＤが書き込まれているＩＣカード２５２を備えるモバイル端末２５０に対して、同様に受信したＵＲＬ、アプリＶｅｒ、サービス情報を送信し、これらの情報にＩＣカード２５２に既に書き込まれている情報を書き換える。このＩＣチップ書き込み処理により、例えば、図１１（ｃ）に示したバージョンアップ前のＩＣカード２５２内のアプリＶｅｒ「１．０」が、図１３（ｂ）に示すように、最新アプリＶｅｒが示す「２．０」に書き換えられる。
【０１８９】
なお、バージョンアップ時にサービス情報を変更しない場合には、ステップＳ３２３及びＳ３２４において、サービス情報を送信しないようにしても良い。また、ＵＲＬについても、変更する必要がない場合には送信しないようにしても良い。
【０１９０】
モバイル端末２５０は、ＩＣカード２５２内のアプリＶｅｒの情報が書き換えられると、それを検知し、イベント通知処理を行う（ステップＳ３２５）。具体的には、モバイル端末２５０は、ＩＣカード２５２に書き込まれているＵＲＬに基づき、そのＵＲＬへの接続を利用者に促す画面を、モバイル端末２５０に備え付けられているモニタに表示させる。
【０１９１】
利用者がモニタに表示された画面に従った操作を行うと、その操作に応じて、図１０に示したインストール時のステップＳ３０８〜Ｓ３１０の処理と同様に、モバイル端末２５０がＵＲＬ接続処理を行い（ステップＳ３２６）、サービス事業者サーバ２１０がＩＣカードＩＤを確認し（ステップＳ３２７）、モバイル端末２５０がモバイルアプリケーション２１２のダウンロード処理を実施する（ステップＳ３２８）。
【０１９２】
但し、バージョンアップ時には、インストール時と異なり、ステップＳ３２４の処理により、ＩＣカード２５２に記録されているアプリＶｅｒの情報が、図１３（ｂ）に示すように「２．０」に書き換えられているため、最新バージョンであるバージョン「２．０」のモバイルアプリケーション２１２がモバイル端末２５０にダウンロードされる。
【０１９３】
モバイル端末２５０は、最新バージョンのモバイルアプリケーション２１２をダウンロードすると、利用者の操作に応じて、最新バージョンのモバイルアプリケーション２１２の初回起動を行う（ステップＳ３２９）。
【０１９４】
このとき、モバイルアプリケーション２１２は、モバイル端末２５０を制御し、サービス事業者サーバ２１０との間で自動通信を開始し、ＩＣカード２５２に書き込まれている会員ＩＤとアプリＶｅｒとをサービス事業者サーバ２１０に送信する。
【０１９５】
サービス事業者サーバ２１０は、モバイル端末２５０から、例えば会員ＩＤ「１２３」とアプリＶｅｒ「２．０」とを受信すると、図１１（ｄ）に例示したバージョンアップ前の会員情報ＴＢＬ２１１内の会員ＩＤ「１２３」に関連付けられているアプリＶｅｒ「１．０」を、「２．０」に書き換えることにより、図１３（ｃ）に示すように、会員ＩＤ「１２３」とアプリＶｅｒ「２．０」とを紐付けて会員情報ＴＢＬ２１１に記録する。
【０１９６】
以上のバージョンアップ方法を実行することで、もしステップＳ３２８でモバイルアプリケーション２１２をダウンロードしている最中に通信が途切れた場合には、ステップＳ３２９が実行されず、モバイル端末２５０内のＩＣカード２５２にはアプリＶｅｒ「２．０」と書き込まれており、サービス事業者サーバ２１０内の会員情報ＴＢＬ２１１にはアプリＶｅｒ「１．０」と書き込まれている状態となる。そのため、再度ステップＳ３２１の処理から実施すれば、モバイルアプリケーション２１２のダウンロードに失敗したと判断することができる。
【０１９７】
［第４の実施形態］
次に、サービス事業者サーバ２１０内の会員情報ＴＢＬ２１１に記憶されている会員情報を変更する方法を、本発明の第４の実施形態として説明する。
なお、第４の実施形態に係るインストールシステムにおいても、図７に示した第２の実施形態に係るインストールシステム２００と同一の構成とすることができるため、その説明を省略し、以下では、図７に示した符号を用いて第４の実施形態を説明する。
【０１９８】
図１４は、本発明の第４の実施形態における会員情報の変更方法の手順例を示す手順説明図である。
【０１９９】
第４の実施形態において、引き継ぎ用ＩＣカード２４０は、そのカードの所持者の氏名、住所、生年月日等の個人特定情報が記録されているカードである。
【０２００】
まず、モバイルアプリケーションダウンロード端末２３０が、Ｒ／Ｗ２３１を介して、引き継ぎ用ＩＣカード２４０とモバイル端末２５０に付属のＩＣカード２５２とから、カード情報を読み取る（ステップＳ４０１）。
【０２０１】
具体的には、モバイルアプリケーションダウンロード端末２３０は、引き継ぎ用ＩＣカード２４０から、個人特定情報を、カード情報として読み取る。また、モバイル端末２５０に付属のＩＣカード２５２から、そのＩＣカード２５２のＩＣカードＩＤと、ＩＣカード２５２内のサービス領域に記録されている情報であるサービス領域内情報と、をカード情報として読み取る。
【０２０２】
次に、モバイルアプリケーションダウンロード端末２３０は、読み取ったカード情報をサービス事業者サーバ２１０へ送信する（ステップＳ４０２）。
具体的には、モバイルアプリケーションダウンロード端末２３０は、引き継ぎ用ＩＣカード２４０及びＩＣカード２５２から読み取った個人特定情報、ＩＣカードＩＤ、及びサービス領域内情報を、サービス事業者サーバ２１０へ送信する。
【０２０３】
サービス事業者サーバ２１０は、モバイルアプリケーションダウンロード端末２３０からカード情報を受信すると（ステップＳ４０３）、サービス事業者サーバ２１０内の会員情報ＴＢＬ２１１に記録されている会員情報を更新するための更新処理を開始する。
【０２０４】
まず、サービス事業者サーバ２１０は、ステップＳ４０３で受信したカード情報の中に、会員ＩＤが含まれているか否かを判断する（ステップＳ４０４）。具体的には、サービス事業者サーバ２１０は、カード情報としてのサービス領域内情報の中に会員ＩＤが含まれているか否かを判断する。また、ＩＣカード２５２にサービス領域が設定されていなかった場合には、サービス事業者サーバ２１０は、サービス領域内情報を受信しないため、会員ＩＤが含まれていないと判断する。
【０２０５】
サービス事業者サーバ２１０は、カード情報の中に会員ＩＤが含まれていると判断すると（ステップＳ４０４；Ｙｅｓ）、更に、その会員ＩＤが登録済みであるか否かを判断する（ステップＳ４０５）。具体的には、サービス事業者サーバ２１０は、サービス事業者サーバ２１０内の会員情報ＴＢＬ２１１に、その会員ＩＤが記録されているか否かを判断する。
【０２０６】
ここで、ステップＳ４０４においてカード情報の中に会員ＩＤが含まれていないと判断された場合（ステップＳ４０４；Ｎｏ）、又はステップＳ４０５において会員ＩＤが登録済みでないと判断された場合には（ステップＳ４０５；Ｎｏ）、モバイル端末２５０の所有者は会員として登録されておらずサービスを受けられる状態にないため、サービスを受けられるように、サービス事業者サーバ２１０は、処理を例えば図８のステップＳ２０３に移し、モバイル端末２５０にモバイルアプリケーション２１２をインストールさせる。
【０２０７】
サービス事業者サーバ２１０は、会員ＩＤが登録済みであると判断すると（ステップＳ４０５；Ｙｅｓ）、会員情報ＴＢＬ２１１から、その会員ＩＤに関連付けられている会員情報を読み出す（ステップＳ４０６）。
【０２０８】
続いて、サービス事業者サーバ２１０は、会員情報ＴＢＬ２１１から読み出した会員情報が、ステップＳ４０３で受信したカード情報の中に含まれている会員情報と一致するか否かを判断する（ステップＳ４０７）。
【０２０９】
ここで、会員情報が一致する場合には（ステップＳ４０７；Ｙｅｓ）、会員情報の更新は必要はないため、サービス事業者サーバ２１０は、この更新処理を終了する。
【０２１０】
サービス事業者サーバ２１０は、会員情報ＴＢＬ２１１から読み出した会員情報と受信した会員情報とが一致しないと判断した場合（ステップＳ４０７；Ｎｏ）、会員情報の更新の可否を会員に問い合わせるための更新可否問い合わせ情報をモバイル端末２５０に送信する（ステップＳ４０８）。
【０２１１】
モバイル端末２５０は、サービス事業者サーバ２１０から更新可否問い合わせ情報を受信すると、受信した情報に基づき、会員情報の更新の可否を会員に問い合わせる画面をモニタに表示する（ステップＳ４０９）。
【０２１２】
会員は、その画面を確認し、会員情報の更新の許可又は不許可の何れかを指示する更新可否指示情報をモバイル端末２５０に入力する。
【０２１３】
モバイル端末２５０は、更新可否指示情報が入力されたか否かを判断し（ステップＳ４１０）、入力されない場合には（ステップＳ４１０；Ｎｏ）、入力されるまで待つ。
更新可否指示情報が入力されると（ステップＳ４１０；Ｙｅｓ）、モバイル端末２５０は、入力された更新可否指示情報をサービス事業者サーバ２１０に送信する（ステップＳ４１１）。
【０２１４】
サービス事業者サーバ２１０は、モバイル端末２５０から更新可否指示情報を受信すると（ステップＳ４１２）、受信した更新可否指示情報が、更新の許可を指示しているか、不許可を指示しているかを判断する（ステップＳ４１３）。
【０２１５】
サービス事業者サーバ２１０は、更新の許可が指示されていると判断した場合（ステップＳ４１３；Ｙｅｓ）、ステップＳ４０６で読み出した会員情報ＴＢＬ２１１内の会員情報を、ステップＳ４０３で受信したカード情報の中に含まれている会員情報で書き換えることにより、会員情報ＴＢＬ２１１の会員情報を更新して（ステップＳ４１４）、この更新処理を終了する。
【０２１６】
一方、更新の不許可が指示されていると判断した場合（ステップＳ４１３；Ｎｏ）、サービス事業者サーバ２１０は、会員情報の更新を行わず、この更新処理を終了する。
【０２１７】
以上の会員情報の変更方法を実行することにより、モバイルアプリケーション２１２をモバイル端末２１０にインストールした後の会員情報の変更を簡単に行うことができる。
なお、ステップＳ４０８〜Ｓ４１３の処理を省略して、会員情報が一致した際、会員による画面確認を実施せずに会員情報を更新するようにしても良い。その場合には、処理をより簡単にすることができる。
【０２１８】
以上、本発明の実施形態及び変形例を説明したが、本発明を実施するにあたっては、種々の形態による変形及び応用が可能であり、上記実施形態及び変形例に限られるものではない。
例えば、インストールシステムの構成は、上記実施形態及び変形例に示した構成に限られるものではなく、発明の趣旨の範囲内で構成を適宜追加、変更、削除等しても良い。また、インストール方法の手順も、上記実施形態及び変形例に示した手順に限られるものではなく、発明の趣旨の範囲内でステップを適宜追加、変更、削除、入れ替え等しても良い。
【０２１９】
具体的には、上記実施形態及び変形例では、モバイル端末に搭載されているＩＣカード内にＩＣカードリーダライタを介してサービス領域を設定して会員ＩＤを書き込んだ後に、そのモバイル端末にモバイルアプリケーションをダウンロードしている。しかしながら、モバイル端末にモバイルアプリケーションをダウンロードした後に、そのモバイル端末に搭載されているＩＣカード内にＩＣカードリーダライタを介してサービス領域を設定して会員ＩＤを書き込んでも良い。そのようにした場合であっても、ユーザはアプリケーションの動作に従ってサービス領域の確保、会員ＩＤの入力等の操作を行う必要がないため、モバイル端末が備えているＩＣカードを利用するサービスのユーザへの提供を簡単な操作で開始させることができる。
【０２２０】
また、上述した第１の実施形態及びその変形例におけるインストール装置３０の機能は、専用のハードウェアによっても、また、通常のコンピュータシステムによっても実現することができる。
【０２２１】
例えば、上記第１の実施形態及びその変形例において、インストール装置３０の記憶部１３４に記憶されているプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の機能を実現する装置を構成することができる。
【０２２２】
また、プログラムをインターネット等の通信ネットワーク上の所定のサーバ装置が有するディスク装置等に格納しておき、例えば、搬送波に重畳させて、コンピュータにダウンロード等するようにしても良い。
【０２２３】
また、通信ネットワークを介してプログラムを転送しながら起動実行することによっても、上述の機能を達成することができる。
更に、プログラムの全部又は一部をサーバ装置上で実行させ、その機能に関する情報をコンピュータが通信ネットワークを介して送受信しながらプログラムを実行することによっても、上述の機能を達成することができる。
【０２２４】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等しても良い。
【０２２５】
また、これと同様に、上述した第２の実施形態におけるサービス事業者サーバ２１０、ＩＣチップサーバ２２０、及びモバイルアプリケーションダウンロード端末２３０の機能も、専用のハードウェアによっても、また、通常のコンピュータシステムによっても実現することができる。
【０２２６】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０２２７】
１０、１１、１２、２００  インストールシステム
２０、２５０  モバイル端末
２１、２５２  ＩＣカード
２２  アプリケーションダウンロード部
３０  インストール装置
３１、２３１  ＩＣカードリーダライタ
３２  アプリケーション記憶部
３３  ＩＣカードアクセス部
３４  会員ＩＤ取得部
３５  サービス領域設定部
３６  会員ＩＤ書き込み部
３７  アプリケーション送信部
３８、２１２  モバイルアプリケーション
４０  通信ネットワーク
５０、２４０  引き継ぎ用ＩＣカード
６１  会員ＩＤ読み取り部
６２  位置情報記憶部
６３  位置情報書き込み部
７１  本人確認用情報読み取り部
７２  会員ＩＤ付与部
７３  会員情報記憶部
１２１、１３１  通信部
１２２、１３２  入力部
１２３、１３３  出力部
１２４、１３４  記憶部
１２５、１３５  制御部
１２６、１３６  ＣＰＵ
１２７、１３７  ＲＯＭ
１２８、１３８  ＲＡＭ
２１０  サービス事業者サーバ
２１１  会員情報ＴＢＬ
２２０  ＩＣチップサーバ
２２１  ＩＣチップ発行モジュール
２２２  ＩＣチップ書き込みモジュール
２３０  モバイルアプリケーションダウンロード端末
２３２  Ｒ／Ｗモジュール
２５１  ダウンロードモジュール
【図１】
0005396240.tif 000002
【図２】
0005396240.tif 000003
【図３】
0005396240.tif 000004
【図４】
0005396240.tif 000005
【図５】
0005396240.tif 000006
【図６】
0005396240.tif 000007
【図７】
0005396240.tif 000008
【図８】
0005396240.tif 000009
【図９】
0005396240.tif 000010
【図１０】
0005396240.tif 000011
【図１１】
0005396240.tif 000012
【図１２】
0005396240.tif 000013
【図１３】
0005396240.tif 000014
【図１４】
0005396240.tif 000015